(57)【要約】【課題】標識本体の表面に排気ガスや粉塵が付着するのを軽減し、さらに付着した汚れを容易に除去できることにより、多くの時間や手間を必要とせず、安全性や外観面での向上を発揮させることができる交通標識を提供すること。【解決手段】道路の路側帯やセンター部分、また工事周辺に設置される交通標識において、交通標識（１）の標識本体（２）の表面に金属酸化物ガラス膜（４）を施した。【選択図】　　図１
2004044335.tif 000002
【特許請求の範囲】
【請求項１】
道路の路側帯やセンター部分、また工事周辺に設置される交通標識において、交通標識の標識本体表面に金属酸化物ガラス膜を施したことを特徴とする交通標識。
【発明の詳細な説明】
【０００１】
【発明の属する技術分野】
本発明は、道路の路側帯や工事周辺箇所に設置される交通標識において、特に、標識本体の表面に排気ガスや粉塵が付着するのを軽減すると共に、表面に付着した汚れを容易に除去することができる交通標識に関する。
【０００２】
【従来の技術】
従来より、一般道路や高速道路においては、走行中の車両の安全確保や進行方向等を指示するための交通標識が設置されている。一般的な交通標識は、樹脂や金属、また石材等の素材からなり、筒状や円錐状等の任意の形状にて形成されている。また、交通標識の表面には、遠方からでも容易に認識できる赤色や暖色系の色彩が施されている。
【０００３】
また特に、前記交通標識の表面には、ヘッドライトや照明器具の光を反射させる反射材が装着されており、夜間においても走行中の車両に容易に認識できるように形成されている。
【０００４】
【発明が解決しようとする課題】
しかし、従来の交通標識においては、走行中の車両からの排気ガスや空気中の粉塵が表面に付着して、識別力や反射効力も半減してしまうという問題があった。また、降雨後においては、表面の粉塵が斑模様に付着され、外観的にも劣化してしまうという欠点があった。
【０００５】
そのため、定期的に交通標識の表面を清掃することが必要とされたが、設置されている数量が多いことや、設置場所が道路周辺であるために、多くの時間と手間が必要とされるばかりでなく、多大なコストと危険性を強いられるという問題もあった。
【０００６】
そこで本発明は上記の点に鑑み、標識本体の表面に排気ガスや粉塵が付着するのを軽減し、さらに付着した汚れを容易に除去できることにより、多くの時間や手間を必要とせず、安全性や外観面での向上を発揮させることができる交通標識を提供することにある。
【０００７】
【課題を解決するための手段】
上記課題を解決するために、道路の路側帯やセンター部分、また工事周辺に設置される交通標識において、交通標識の標識本体表面に金属酸化物ガラス膜を施したことを特徴とする。そのため、金属酸化物ガラス膜の光触媒機能により、交通標識の表面に排気ガスや粉塵が付着するの軽減できる。また、前記光触媒機能により、周囲の空気を浄化させることも可能となる。
【０００８】
【発明の実施の形態】
次に、本発明の交通標識を図面に基づいて説明する。なお、図１は道路側面に設置される交通標識の一部欠切状態の全体図、図２は前記交通標識の断面図、図３は工事周辺に設置される交通標識の一部欠切状態の全体図、図４は事故多発地帯に設置される交通標識の一部欠切状態の全体図、図５は、道路のセンター部分に設置される交通標識の一部欠切状態の全体図をそれぞれ表す。
【０００９】
本発明の交通標識１は、道路の路側帯や工事の周辺、また、事故多発地帯や道路のセンター部分に設置されるもので、走行中の車両の安全確保や進行方向等を指示するため、一般道路や高速道路等に多数設置されている
【００１０】
前記交通標識１は、樹脂や金属、また石材等の素材からなり、全体が筒状や円錐状等の任意の形状にて形成されている。また前記交通標識１の表面には、遠方からでも容易に認識できるように、赤色や暖色系の色彩が施されている。さらに、前記交通標識１の標識本体２の表面一部には、車両のヘッドライトや照明器具の光を反射させる反射材３が装着されている。
【００１１】
また特に、前記交通標識１の標識本体表面には、金属酸化物ガラス膜４が施されている。前記金属酸化物ガラス膜４は、加水分解可能な有機金属化合物を、水と有機溶媒とからなる反応液中において、ホウ素イオンの存在下でハロゲンイオンを触媒とし、ｐＨを４．５〜５．０に調整しながら加水分解、脱水縮合させた後、反応生成物を基材表面に塗布し、２００℃以下の温度でガラス化させることにより製造される。
【００１２】
前記金属酸化物ガラス膜４は光触媒機能を有するため、前記交通標識１の表面に排気ガスや粉塵が付着するの軽減できると共に、表面に付着した汚れを容易に除去することができる。また、前記光触媒機能により、交通標識１の周囲の空気を浄化させることも可能となる。
【００１３】
また、前記金属酸化物ガラス膜４は、耐候性、防錆性、耐酸性、耐摩耗性、絶縁性等のコーティング効果を有するため、標識本体２に設けられた反射材３を効率よく保護することができる。
【００１４】
次に、本発明の交通標識の使用方法を各図に基づいて説明する。
【００１５】
図１に示す交通標識１は、一般道路や高速道路の道路側面や分岐点に設置されているもので、円柱状の標識本体２と反射材３の表面には、金属酸化物ガラス膜４が施されている。該金属酸化物ガラス膜４は、交通標識１の表面に吹付塗装等により低温焼成されている。前記交通標識１に金属酸化物ガラス膜４を施すことにより、光触媒機能により表面に排気ガスや粉塵が付着するのを軽減できると共に、表面に付着した汚れを容易に除去することができる。そのため、交通標識１が常に明確に認識され、道路側面位置の確認や分岐点での進行方向を容易に認識することができる。
【００１６】
図３に示す交通標識１は、道路工事が行われている周囲に設置されるもので、円錐状の標識本体２と反射材３の表面に、金属酸化物ガラス膜４が施されている。前記交通標識１に金属酸化物ガラス膜４を施すことにより、光触媒機能により表面に排気ガスや粉塵が付着するのを軽減できると共に、表面に付着した汚れを容易に除去することができる。そのため、交通標識１が常に明確に認識され、走行中の安全性が確保される。
【００１７】
図４に示す交通標識１は、道路の急カーブ地帯等の事故が多発される箇所に設置されるもので、緩衝性を有する箱型の標識本体２と反射材３の表面には、金属酸化物ガラス膜４が施されている。前記交通標識１に金属酸化物ガラス膜４を施すことにより、光触媒機能により表面に排気ガスや粉塵が付着するのを軽減できると共に、表面に付着した汚れを容易に除去することができる。そのため、夜間でも交通標識１が常に明確に認識され、夜間に発生する事故を極力軽減することができる。
【００１８】
図５に示す交通標識１は、一般道路や高速道路のセンター部分に設置されるもので、矩形状の標識本体２と反射材３の表面には、金属酸化物ガラス膜４が施されている。前記交通標識１に金属酸化物ガラス膜４を施すことにより、光触媒機能により表面に排気ガスや粉塵が付着するのを軽減できると共に、表面に付着した汚れを容易に除去することができる。そのため、道路のセンター部分が夜間でも明確に認識され、安全な夜間走行を実現できる。
【００１９】
なお、本発明の交通標識１は、上述に限定されるものではなく、速度表示板や方向指示板等に幅広く利用できることは言うまでもない。
【００２０】
【発明の効果】
以上説明してきたように、本発明の交通標識は、上述により以下に示す効果を奏するものである。
【００２１】
道路に設置される交通標識の表面に金属酸化物ガラス膜を施すことにより、金属酸化物ガラス膜の光触媒機能により、交通標識の表面に排気ガスや粉塵が付着するの軽減できると共に、付着した汚れを容易に除去することが可能となる。
【００２２】
また、前記光触媒機能により、周囲の空気を浄化させることも可能となり、自然環境を向上させることができる。
【図面の簡単な説明】
【図１】道路側面に設置される交通標識の一部欠切状態の全体図を表す。
【図２】前記交通標識の断面図を表す。
【図３】工事周辺に設置される交通標識の一部欠切状態の全体図を表す。
【図４】事故多発地帯に設置される交通標識の一部欠切状態の全体図を表す。
【図５】道路のセンター部分に設置される交通標識の一部欠切状態の全体図を表す。
【符号の説明】
１・・・交通標識
２・・・標識本体
３・・・反射材
４・・・金属酸化物ガラス膜
【図１】
2004044335.tif 000003
【図２】
2004044335.tif 000004
【図３】
2004044335.tif 000005
【図４】
2004044335.tif 000006
【図５】
2004044335.tif 000007